(57)【要約】【課題】  瞬時停電や瞬時電圧低下が発生してインバータ回路が動作を一時停止した場合に除菌灯の立ち消え状態が継続することを防止できる温水装置を提供する。【解決手段】  負荷として除菌灯５が接続されたインバータ回路１０と、外部電源の電圧から生成される直流電圧が動作用電源電圧として供給され、動作用電源電圧によって充電されるコンデンサＣ２４を有し、コンデンサＣ２４の電圧が所定電圧未満のときに予熱用の発振周波数が選択され、コンデンサＣ２４の電圧が所定電圧以上のときに点灯用の発振周波数が選択され、選択される発振周波数に応じてインバータ回路１０の動作を制御するインバータ制御部１１と、所定の検出条件に基づいてインバータ回路１０の動作の停止を検出するインバータ停止検出部１６と、インバータ停止検出部１６がインバータ回路１０の動作の停止を検出したときに、コンデンサＣ２４を放電させるリセット回路１５と、を備える。【選択図】  図２
2018133159.tif 000002
【特許請求の範囲】
【請求項１】
湯水の除菌を行うための除菌灯を備えた温水装置であって、
負荷として前記除菌灯が接続されたインバータ回路と、
外部電源の電圧から生成される直流電圧が動作用電源電圧として供給され、前記動作用電源電圧によって充電されるコンデンサを有し、前記コンデンサの電圧が所定電圧未満のときに前記除菌灯の予熱用の発振周波数が選択されるとともに、前記コンデンサの電圧が前記所定電圧以上のときに前記除菌灯の点灯用の発振周波数が選択され、選択される発振周波数に応じて前記インバータ回路の動作を制御するインバータ制御部と、
所定の検出条件に基づいて前記インバータ回路の動作の停止を検出するインバータ停止検出部と、
前記インバータ停止検出部が前記インバータ回路の動作の停止を検出したときに、前記コンデンサを放電させるリセット回路と、を備えた
温水装置。
【請求項２】
前記インバータ停止検出部は、
前記インバータ制御部に供給される前記動作用電源電圧を検出し、この電源電圧が所定の電圧より低くなったことを前記検出条件とするよう構成された、
請求項１に記載の温水装置。
【請求項３】
前記インバータ停止検出部は、
前記インバータ回路の出力電流を検知し、この出力電流が検知されなくなったことを前記検出条件とするよう構成された、
請求項１に記載の温水装置。
【請求項４】
前記リセット回路が前記コンデンサを定期的に放電させるよう構成された、
請求項１〜３のいずれかに記載の温水装置。
【発明の詳細な説明】
【技術分野】
【０００１】
本発明は、給湯装置等の温水装置に関する。
【背景技術】
【０００２】
従来の温水装置、例えば、風呂追い焚き機能付きの給湯装置では、浴槽と熱源機との間で浴槽水を循環させる循環流路が形成され、この循環流路の途中にＵＶランプ等の除菌灯を設け、インバータ回路を用いて除菌灯を点灯することによって循環流路を流れる湯水の除菌を行うものがある。インバータ回路には、商用交流電源電圧を整流平滑して生成された直流電圧が入力される。
【０００３】
一方、特許文献１〜３には、インバータ回路を用いて放電灯を点灯させる装置が記載されている。これらの装置は、商用交流電源電圧を整流平滑して直流電圧を生成し、この直流電圧をインバータ回路で交流に変換して放電灯へ供給し、放電灯を点灯させるものである。そして、商用交流電源に瞬時停電や瞬時電圧低下等の電圧変動が発生した場合に、インバータ回路を制御して放電灯の立ち消え等を防止するようになっている。しかしながら、瞬時停電や瞬時電圧低下によってインバータ回路が動作を一時停止してしまった場合に、放電灯を再点灯させることについては記載されていない。
【先行技術文献】
【特許文献】
【０００４】
【特許文献１】特開平３−５９９９６号公報
【特許文献２】特開平１１−２６１７５号公報
【特許文献３】特開２００７−２２７００３号公報
【発明の概要】
【発明が解決しようとする課題】
【０００５】
上記従来の温水装置では、商用交流電源に瞬時停電や瞬時電圧低下が発生してインバータ回路が動作を一時停止すると、除菌灯が消灯し、商用交流電源が正常状態に復帰しても除菌灯を再点灯できず、立ち消え状態が継続する虞を有している。
【０００６】
本発明は上記のような課題を解決するためになされたもので、瞬時停電や瞬時電圧低下が発生してインバータ回路が動作を一時停止した場合に除菌灯の立ち消え状態が継続することを防止できる温水装置を提供することを目的としている。
【課題を解決するための手段】
【０００７】
上記目的を達成するために、本発明のある態様に係る温水装置は、湯水の除菌を行うための除菌灯を備えた温水装置であって、負荷として前記除菌灯が接続されたインバータ回路と、外部電源の電圧から生成される直流電圧が動作用電源電圧として供給され、前記動作用電源電圧によって充電されるコンデンサを有し、前記コンデンサの電圧が所定電圧未満のときに前記除菌灯の予熱用の発振周波数が選択されるとともに、前記コンデンサの電圧が前記所定電圧以上のときに前記除菌灯の点灯用の発振周波数が選択され、選択される発振周波数に応じて前記インバータ回路の動作を制御するインバータ制御部と、所定の検出条件に基づいて前記インバータ回路の動作の停止を検出するインバータ停止検出部と、前記インバータ停止検出部が前記インバータ回路の動作の停止を検出したときに、前記コンデンサを放電させるリセット回路と、を備えている。
【０００８】
この構成によれば、外部電源に瞬時停電や瞬時電圧低下が発生してインバータ回路が動作を一時停止した場合には、インバータ停止検出部がインバータ回路の動作の停止を検出し、コンデンサを放電させることにより、外部電源が正常状態に復帰したときには、インバータ制御部は、予熱用の発振周波数によってインバータ回路の動作を開始させることになる。つまり通常の点灯動作によって除菌灯が再点灯し、除菌灯の立ち消え状態が継続することを防止できる。
【０００９】
前記インバータ停止検出部は、前記インバータ制御部に供給される前記動作用電源電圧を検出し、この電源電圧が所定の電圧より低くなったことを前記検出条件とするよう構成されていてもよい。
【００１０】
前記インバータ停止検出部は、前記インバータ回路の出力電流を検知し、この出力電流が検知されなくなったことを前記検出条件とするよう構成されていてもよい。
【００１１】
前記リセット回路が前記コンデンサを定期的に放電させるよう構成されていてもよい。これにより、インバータ停止検出部に不具合があり、除菌灯の立ち消え状態が発生した場合でも、早期に立ち消え状態を解消して再点灯させることができる。
【発明の効果】
【００１２】
本発明は、以上に説明した構成を有し、瞬時停電や瞬時電圧低下が発生してインバータ回路が動作を一時停止した場合に除菌灯の立ち消え状態が継続することを防止できる温水装置を提供することができるという効果を奏する。
【図面の簡単な説明】
【００１３】
【図１】図１は、第１，第２実施形態に係る温水装置の主要部の一例を示すブロック図である。
【図２】図２は、インバータ部の一例を示す回路構成図である。
【図３】図３は、インバータ停止検出部の一例を示す回路図である。
【図４】図４は、リセット信号入力部の一例を示す回路図である。
【図５】図５は、マイコンのリセット信号の出力動作の一例を示すフローチャートである。
【図６】図６は、立下り検出部の一例を示す回路図である。
【図７】図７は、立下り検出部等における電圧の時間的変化を示す図である。
【発明を実施するための形態】
【００１４】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１５】
（第１実施形態）
図１は、第１実施形態に係る温水装置の主要部の一例を示すブロック図である。この温水装置１は、例えば、台所や浴槽等に湯水を供給する給湯機能と風呂の追い焚き機能とを備えた給湯装置である。このような温水装置１（給湯装置）では、浴槽と熱源機との間で浴槽水を循環させる循環流路が形成され、この循環流路の途中にＵＶランプ等の除菌灯を設け、除菌灯を点灯することによって循環流路を流れる湯水の除菌を行うようにしている。図１では、第１実施形態に係る温水装置１の主要部のみを示し、浴槽水を循環させる循環流路や、循環流路に設けられた循環用ポンプ、熱交換器等は図示していない。また、温水装置１の他の例としては、貯留タンクを備えた給湯装置において、貯留タンク内に除菌灯を設け、除菌灯を点灯することによって貯留タンク内の湯水の除菌を行うように構成されていてもよい。
【００１６】
図１に示すように、温水装置１は、電源回路２、マイコン（マイクロコントローラ）３、インバータ部４、例えばＵＶランプからなる除菌灯５、ＯＮ（オン）／ＯＦＦ（オフ）回路６、定電圧回路７等を備えている。
【００１７】
電源回路２は、外部交流電源（例えば商用交流電源）ＡＣから供給される交流電圧（例えば１００Ｖ）を温水装置１の内部機器で使用されるいくつかの直流電圧（ＤＣ）に変換して出力する。図１では、電源回路２は、ＤＣ１５Ｖを電源ラインＶＳ１５，ＳＧＮＤを介してマイコン３へ出力する。さらに、電源回路２は、ＤＣ１５Ｖを、電源ラインＶＴ１５，ＴＧＮＤ及びＯＮ／ＯＦＦ回路６を介して定電圧回路７及びインバータ部４へ出力し、ＤＣ１００Ｖを、電源ラインＶＴ１００，ＴＧＮＤを介してインバータ部４へ出力する。
【００１８】
マイコン３は、例えば、予め定められた時刻になると所定時間の間、除菌灯５を駆動（点灯）するための指令信号として除菌灯ＯＮ信号をＯＮ／ＯＦＦ回路６へ出力するようになっている。ＯＮ／ＯＦＦ回路６は、電源ラインＶＴ１５の途中に設けられて、電源ラインＶＴ１５を導通及び遮断する回路であって、トランジスタ等で構成されている。ＯＮ／ＯＦＦ回路６は、除菌灯５を点灯しない間は、マイコン３から除菌灯ＯＦＦ信号が入力されて、電源ラインＶＴ１５を遮断し（ＯＦＦ状態）、除菌灯ＯＮ信号が入力されると電源ラインＶＴ１５を導通させる（ＯＮ状態）。
【００１９】
ＯＮ／ＯＦＦ回路６がＯＮ状態になると、電源回路２からのＤＣ１５Ｖがインバータ部４及び定電圧回路７へ入力される。定電圧回路７は、例えば三端子レギュレータ等で構成され、ＤＣ１５ＶをＤＣ１２Ｖに降圧して、電源ラインＶＴ１２，ＴＧＮＤを介してインバータ部４へ出力する。よって、ＯＮ／ＯＦＦ回路６がＯＮ状態になると、インバータ部４にその動作用電源電圧（ＤＣ１５Ｖ及びＤＣ１２Ｖ）が入力されて、インバータ部４が起動し、インバータ部４では直流電圧（ＤＣ１００Ｖ）を交流電圧に変換し、ワイヤーハーネスＷを介して除菌灯５へ供給し、除菌灯５を点灯させる。
【００２０】
ＯＮ／ＯＦＦ回路６がＯＦＦ状態になると、インバータ部４に動作用電源電圧が供給されなくなるので、インバータ部４が停止し、除菌灯５は消灯する。
【００２１】
よって、マイコン３から出力される除菌灯ＯＮ／ＯＦＦ信号によって、除菌灯５の点灯／消灯が制御される。
【００２２】
次に、インバータ部４の構成について詳しく説明する。図２は、インバータ部４の一例を示す回路構成図である。なお、第１実施形態では、図２において、立下り検出部１９が無い構成であり、立下り検出部１９は後述の第２実施形態に関するものである。以下では、電源ラインＶＴ１２，ＴＧＮＤ間の電圧を〔ＶＴ１２〕と記載し、電源ラインＶＴ１５，ＴＧＮＤ間の電圧を〔ＶＴ１５〕と記載することがある。
【００２３】
インバータ部４は、インバータ回路１０、インバータ制御部１１（制御回路１２、周波数設定用回路１３及び周波数切替え回路１４）、リセット回路１５、インバータ停止検出部１６、リセット信号入力部１７、電流検知部１８、共振用インダクタＬ１及びコンデンサＣ１，Ｃ２を備えている。コンデンサＣ１は、ワイヤーハーネスＷの電線を介して除菌灯５の２つのフィラメント(図示せず)の間に接続されている。コンデンサＣ２は直流遮断用のコンデンサである。
【００２４】
インバータ回路１０は、電源ラインＶＴ１００，ＴＧＮＤ間に直列に接続された２つのスイッチング素子ＳＷ１，ＳＷ２と、これらスイッチング素子ＳＷ１，ＳＷ２の保護用のコンデンサＣ３，Ｃ４を備えている。インバータ回路１０は、電源ラインＶＴ１００，ＴＧＮＤ間の直流電圧（例えば、ＤＣ１００Ｖ）を入力し、スイッチング素子ＳＷ１，ＳＷ２を交互に導通させることにより、交流電圧を出力する回路である。
【００２５】
制御回路１２は、スイッチング素子ＳＷ１，ＳＷ２を交互に導通させるようにＯＮ／ＯＦＦを制御するための制御用ＩＣであり、市販されているものを用いている。制御回路１２は、電源ラインＶＴ１２，ＴＧＮＤに接続され、動作用電源電圧〔ＶＴ１２〕としてＤＣ１２Ｖが供給される。
【００２６】
周波数設定用回路１３は、３つのコンデンサＣ２１，Ｃ２２，Ｃ２３と２つの抵抗Ｒ２１，Ｒ２２とを備えている。制御回路１２は、これを構成する上記制御用ＩＣの仕様により、同ＩＣの３番ピンとグランドラインＴＧＮＤ間のコンデンサの合成容量と、同ＩＣの２番ピンと３番ピン間の抵抗値（Ｒ２１，Ｒ２２）とによってインバータ回路１０の発振周波数が決められて、スイッチング素子ＳＷ１，ＳＷ２のＯＮ／ＯＦＦ動作を制御するよう構成されている。ここで、上記コンデンサの合成容量は、周波数切替え回路１４のトランジスタＱ２がＯＦＦのときには、２つのコンデンサＣ２１，Ｃ２２の合成容量となり、トランジスタＱ２がＯＮのときには、３つのコンデンサＣ２１，Ｃ２２，Ｃ２３の合成容量となる。よって、周波数切替え回路１４のトランジスタＱ２のＯＮ／ＯＦＦによって、上記コンデンサの合成容量が変化し、発振周波数を変えるように構成されている。
【００２７】
周波数切替え回路１４は、電源ラインＶＴ１２，ＴＧＮＤ間に直列に接続されたツェナーダイオードＺＤ１、コンデンサＣ２４及び抵抗Ｒ３と、周波数設定用回路１３のコンデンサＣ２３とグランドラインＴＧＮＤとの間に挿入されたトランジスタＱ２と、トランジスタＱ２のベースとコンデンサＣ２４の負極側端子との間に接続されたダイオードＤ１とで構成されている。
【００２８】
この周波数切替え回路１４では、例えばＯＮ／ＯＦＦ回路６がＯＮ状態となり、電源ラインＶＴ１２，ＴＧＮＤ間に電圧（ＤＣ１２Ｖ）の供給が開始されたときには、コンデンサＣ２４の充電が完了するまで抵抗Ｒ３に電流が流れる。このとき、抵抗Ｒ３の両端電圧がトランジスタＱ２のエミッタ・ベース間電圧より高くなり、ダイオードＤ１に電流は流れず、トランジスタＱ２はＯＦＦである。
【００２９】
そして時間が経過し、コンデンサＣ２４が充電されてコンデンサＣ２４の電圧（両端電圧）が所定電圧（Ｖｔ）以上になると、抵抗Ｒ３の両端電圧がトランジスタＱ２のエミッタ・ベース間電圧より低くなり、トランジスタＱ２がＯＮする。
【００３０】
上記のように、コンデンサＣ２４の電圧が所定電圧Ｖｔ以上のときにはトランジスタＱ２がＯＮし、コンデンサＣ２４の電圧が所定電圧Ｖｔ未満のときにはトランジスタＱ２がＯＦＦする。そして、マイコン３から除菌灯ＯＮ信号が入力されてＯＮ／ＯＦＦ回路６がＯＮ状態となった最初の間（コンデンサＣ２４の電圧が所定電圧Ｖｔ未満の間）は、トランジスタＱ２がＯＦＦであり、制御回路１２は、予熱用発振周波数でインバータ回路１０を動作させて除菌灯５のフィラメントを予熱し、その後、コンデンサＣ２４の電圧が所定電圧Ｖｔ以上となりトランジスタＱ２がＯＮすると、除菌灯５が放電（点灯）を開始して点灯用発振周波数でインバータ回路１０を動作させる。予熱用発振周波数（例えば９０ｋＨｚ）は、点灯用発振周波数（例えば６０ｋＨｚ）よりも高い。
【００３１】
上記の制御回路１２、周波数設定用回路１３及び周波数切替え回路１４によってインバータ制御部１１が構成されている。
【００３２】
ここで、インバータ制御部１１のみによってインバータ回路１０が制御されて、除菌灯５が点灯しているときに、外部交流電源ＡＣに瞬時停電や瞬時電圧低下が発生した場合を考える。以下では、瞬時停電及び瞬時電圧低下を瞬時停電等と記載する。なお、制御回路１２の動作可能最低電圧は、ツェナーダイオードＺＤ１の降伏電圧よりも高い。
【００３３】
例えば、瞬時停電等が発生した場合、まず、インバータ制御部１１の動作用電源電圧〔ＶＴ１２〕が低下して、制御回路１２の動作可能最低電圧を下回ると、制御回路１２の動作が停止して、インバータ回路１０の動作も停止する。インバータ回路１０の動作が停止すると、除菌灯５に電圧が供給されなくなり、除菌灯５が消灯する。
【００３４】
そして、動作用電源電圧〔ＶＴ１２〕が周波数切替え回路１４のツェナーダイオードＺＤ１の降伏電圧より低い電圧まで低下してから、瞬時停電等から正常状態に復帰する場合には、除菌灯５の点灯を開始させる通常の動作の場合と同様にして、再点灯される。
【００３５】
ところが、動作用電源電圧〔ＶＴ１２〕が、制御回路１２の動作可能最低電圧を下回った後、ツェナーダイオードＺＤ１の降伏電圧以上の領域にあるときに、瞬時停電等から復帰した場合には、トランジスタＱ２がＯＮした状態で、制御回路１２が動作を再開し、インバータ回路１０の動作が再開される。この場合、はじめに予熱用発振周波数でインバータ回路１０が動作されないので、除菌灯５が再点灯できず、立ち消え状態が継続することが起こり得る。
【００３６】
そこで、本実施形態では、リセット回路１５及びインバータ停止検出部１６を設けている。
【００３７】
リセット回路１５は、トランジスタＱ１及び抵抗Ｒ１、Ｒ２によって構成されている。トランジスタＱ１は、コンデンサＣ２４の正極側端子とグランドラインＴＧＮＤとの間に挿入接続されており、トランジスタＱ１をＯＮすることによって、コンデンサＣ２４を放電させる、すなわちコンデンサＣ２４に蓄積された電荷を放出させることができる。
【００３８】
前述の瞬時停電等が発生したときに、トランジスタＱ１をＯＮさせて、コンデンサＣ２４を放電させることにより、瞬時停電等から復帰した場合に、トランジスタＱ２はＯＦＦ状態であり、制御回路１２は、必ず、予熱用発振周波数でインバータ回路１０の動作を再開させることができる。よって、除菌灯５の点灯を開始させる通常の動作の場合と同様にして、除菌灯５を再点灯させることができる。
【００３９】
そして、上記トランジスタＱ１をＯＮさせるためにインバータ停止検出部１６を設けている。図３は、インバータ停止検出部１６の一例を示す回路図である。
【００４０】
インバータ停止検出部１６は、オペアンプ３１、シャントレギュレータ３２及び抵抗Ｒ４〜Ｒ６によって構成されている。電源ラインＶＴ１２，ＴＧＮＤ間に、２つの抵抗Ｒ４，Ｒ５が直列に接続されるとともに、抵抗Ｒ６とシャントレギュレータ３２が直列に接続されている。そして、２つの抵抗Ｒ４，Ｒ５の接続点がオペアンプ３１の反転入力端子に接続され、抵抗Ｒ６とシャントレギュレータ３２との接続点がオペアンプ３１の非反転入力端子に接続されている。オペアンプ３１の出力端子は、抵抗Ｒ１を介してトランジスタＱ１のベースに接続されている。
【００４１】
ここで、動作用電源電圧〔ＶＴ１２〕が制御回路１２の動作可能最低電圧に低下するときに、動作用電源電圧〔ＶＴ１５〕がシャントレギュレータ３２のリファレンス電圧より高くなるように抵抗Ｒ４〜Ｒ６の抵抗値を設定している。例えば、動作用電源電圧〔ＶＴ１５〕が通常時の電圧の１５Ｖから１２Ｖ以下に低下したときに、オペアンプ３１の出力がＨ（ハイ）レベルになるように抵抗Ｒ４〜Ｒ６の抵抗値（例えば、Ｒ４＝３９ｋΩ、Ｒ５＝１０ｋΩ、Ｒ６＝１ｋΩ）が定められている。
【００４２】
すなわち、インバータ停止検出部１６は、動作用電源電圧〔ＶＴ１２〕が低下して制御回路１２の動作可能最低電圧を下まわった時には、オペアンプ３１の出力がＨレベルになるように構成されている。オペアンプ３１の出力がＨレベルになると、リセット回路１５のトランジスタＱ１がＯＮして、コンデンサＣ２４を放電させる。
【００４３】
よって、インバータ停止検出部１６は、瞬時停電等の発生により動作用電源電圧〔ＶＴ１２〕が低下して制御回路１２の動作可能最低電圧を下まわってインバータ回路１０の動作が停止したことを検出し、コンデンサＣ２４を放電させるようにしている。そのため、瞬時停電等から復帰したときには、トランジスタＱ２はＯＦＦ状態であり、通常の点灯動作が開始されて除菌灯５が再点灯し、除菌灯５の立ち消え状態が継続することを防止できる。なお、制御回路１２の動作可能最低電圧は、インバータ制御部１１の動作可能最低電圧（所定の電圧）でもある。
【００４４】
次に、リセット信号入力部１７について説明する。図４は、リセット信号入力部１７の一例を示す回路図である。
【００４５】
リセット信号入力部１７は、電源ラインＶＴ１５，ＴＧＮＤ間に、抵抗Ｒ３１とフォトカプラ３５のフォトトランジスタとが直列に接続されている。抵抗Ｒ３１とフォトカプラ３５との接続点がリセット回路１５の抵抗Ｒ１に接続されている。フォトカプラ３５の発光ダイオードは、抵抗Ｒ３２を介してマイコン３に接続されている。マイコン３から出力されるリセット信号がＨレベルのときは、フォトカプラ３５のフォトトランジスタがＯＮし、リセット回路１５のトランジスタＱ１はＯＦＦである。一方、リセット信号がＬ（ロー）レベルになると、フォトカプラ３５のフォトトランジスタがＯＦＦし、リセット回路１５のトランジスタＱ１はＯＮとなり、コンデンサＣ２４を放電させることができる。
ここで、マイコン３は、除菌灯ＯＮ信号をＯＮ／ＯＦＦ回路６へ出力している間は、定期的にリセット信号をＬレベルにするよう構成されている。この場合のマイコン３のリセット信号の出力動作の一例を図５に示す。
【００４６】
マイコン３は、リセット信号をＨレベルにして（ステップＳ１）、除菌灯ＯＮ信号をＯＮ／ＯＦＦ回路６へ出力する（ステップＳ２）。その後、規定時間Ｔ１（例えば１０分）が経過すると、リセット信号をＬレベルにし（ステップＳ３、Ｓ４）、コンデンサＣ２４を放電させる。さらに、規定時間Ｔ２（例えば数十秒）が経過すると、リセット信号をＨレベルにする（ステップＳ５、Ｓ６）。そして、除菌灯をＯＦＦさせる時刻になるまで、ステップＳ３からの処理を繰り返す（ステップＳ７）。
【００４７】
すなわち、マイコン３は、除菌灯５を点灯させている間、定期的にリセット信号をＬレベルにしてコンデンサＣ２４を放電させるようにしている。これにより、瞬時停電等が発生したときに、インバータ停止検出部１６に何らかの不具合が生じており、コンデンサＣ２４を放電させることができず、除菌灯５が立ち消え状態となった場合でも、立ち消え状態を早期に解消して再点灯させることができる。なお、除菌灯５が正常に点灯している場合でも、定期的にコンデンサＣ２４が放電されるので、定期的に発振周波数が変化して除菌灯５にちらつきが発生するが、ちらつきが発生しても一時的であり、除菌性能への悪影響はほとんどない。
【００４８】
また、本実施形態では、図２に示すように、電流検知部１８が設けられている。この電流検知部１８は、カレントトランスＣＴと、全波整流するダイオードブリッジＤＢと、平滑コンデンサＣ１１と、トランジスタＱ５，Ｑ６と、抵抗Ｒ１１〜Ｒ１４とで構成されており、その出力信号ＶＣＴは、マイコン３へ入力されるよう構成されている。また、トランジスタＱ５及び抵抗Ｒ１３，Ｒ１４が電源ラインＶＴ１５，ＴＧＮＤ間に接続されており、トランジスタＱ５のコレクタが抵抗Ｒ１３を介してトランジスタＱ６のベースに接続されている。そして、トランジスタＱ６及び抵抗Ｒ１２が電源ラインＶＴ１５，ＴＧＮＤ間に接続されており、トランジスタＱ６と抵抗Ｒ１２との接続点の電圧が出力信号ＶＣＴとなる。
【００４９】
この電流検知部１８では、インバータ回路１０の出力電流の有無を検知している。すなわち、インバータ回路１０の出力電流に応じた直流電圧がトランジスタＱ５のベースに与えられる。よって、インバータ回路１０の出力電流が流れている場合には、トランジスタＱ５がＯＮし、それによってトランジスタＱ６がＯＮすることで、出力信号ＶＣＴはＨレベルになる。一方、インバータ回路１０の出力電流が流れていない場合には、トランジスタＱ５及びトランジスタＱ６がＯＦＦすることで、出力信号ＶＣＴはＬレベルになる。
【００５０】
すなわち、出力信号ＶＣＴがＨレベルのときには除菌灯５は点灯状態であり、Ｌレベルのときには除菌灯５は消灯状態である。マイコン３は、出力信号ＶＣＴのレベルによって除菌灯５の状態を把握することができる。そして、マイコン３は、例えば、除菌灯ＯＮ信号を出力しはじめてから所定時間（例えば十数秒）の間、出力信号ＶＣＴがＬレベルであると、異常状態（例えば除菌灯５のフィラメントの断線等）であると判定し、例えば温水装置１のリモコン（図示せず）に異常であることを報知させる。
【００５１】
（第２実施形態）
第２実施形態では、図２において、インバータ停止検出部１６を設けずに、立下り検出部１９を設けたことが第１実施形態とは異なる。これ以外の構成は第１実施形態と同様であり、その説明を省略する。
【００５２】
この第２実施形態では、電流検知部１８と立下り検出部１９とでインバータ停止検出部２０が構成されている。なお、本実施形態においても、マイコン３は、電流検知部１８の出力信号ＶＣＴの電圧レベルによって第１実施形態のように異常状態を判定するようにしてもよい。
【００５３】
図６は、立下り検出部１９の一例を示す回路図である。
立下り検出部１９は、立下り検出回路１９ａと、立下り検出回路１９ａの電源用電圧Ｖｃｃを生成する電圧生成回路１９ｂとで構成されている。電圧生成回路１９ｂは、電圧レギュレータ４１、ダイオードＤ４１及びコンデンサＣ４１で構成されており、例えば、ＤＣ１５Ｖの動作電源用電圧〔ＶＴ１５〕から、ＤＣ５Ｖの電源用電圧Ｖｃｃを生成する回路である。立下り検出回路１９ａは、シュミットトリガ４２、抵抗Ｒ４１、ダイオードＤ４２及びコンデンサＣ４２で構成された一般的な立下り検出回路であり、電流検知部１８の出力信号ＶＣＴを入力とし、出力信号Ｖoutをリセット回路１５へ入力するよう構成されている。
【００５４】
図７（Ａ）〜（Ｄ）は、図６における各部の電圧の時間的変化を示す図であり、いずれも横軸（ｔ）は時間、縦軸は電圧を示す。図７（Ｂ）はシュミットトリガ４２の入力電圧Ｖａを示し、ＶＨ，ＶＬはシュミットトリガ４２の２つのしきい値電圧である。また、図７（Ｄ）は周波数切替え回路１４のコンデンサＣ２４の電圧（両端電圧）を示す。
【００５５】
図７に示されるように、電流検知部１８の出力信号ＶＣＴがＨレベルからＬレベルに変化してから所定時間の間、立下り検出回路１９ａの出力信号ＶoutがＨレベルとなる。この出力信号ＶoutがＨレベルの間、リセット回路１５のトランジスタＱ１がＯＮし、コンデンサＣ２４が放電される。なお、立下り検出回路１９ａの出力信号ＶoutがＨレベルとなる期間の長さ（時間）は、コンデンサＣ４２の容量及び抵抗Ｒ４１の抵抗値によって決められる。
【００５６】
この第２実施形態におけるインバータ停止検出部２０では、電流検知部１８によってインバータ回路１０の出力電流を検知し、インバータ回路１０の出力電流が検知されなくなったこと、すなわち、電流検知部１８の出力信号ＶＣＴがＨレベルからＬレベルに変化したことを立下り検出部１９（立下り検出回路１９ａ）で検出し、そのときに、立下り検出回路１９ａの出力信号ＶoutがＨレベルとなり、リセット回路１５のトランジスタＱ１がＯＮして、コンデンサＣ２４を放電させる。
【００５７】
よって、インバータ停止検出部２０は、瞬時停電等の発生によりインバータ回路１０の動作が停止したことを検出し、コンデンサＣ２４を放電させるようにしている。そのため、瞬時停電等から復帰したときには、トランジスタＱ２はＯＦＦ状態であり、通常の点灯動作が開始されて除菌灯５が再点灯し、除菌灯５の立ち消え状態が継続することを防止できる。
【００５８】
なお、第１、第２実施形態では、それぞれ別々のインバータ停止検出部１６、２０を備えるようにしたが、両方のインバータ停止検出部１６、２０を備えた構成としてもよい。この場合、いずれか一方のインバータ停止検出部に不具合があった場合に他方のインバータ停止検出部が動作することで、より確実に除菌灯５の立ち消え状態が継続することを防止できる。
【００５９】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６０】
本発明は、瞬時停電や瞬時電圧低下が発生してインバータ回路が動作を一時停止した場合に除菌灯の立ち消え状態が継続することを防止できる温水装置等として有用である。
【符号の説明】
【００６１】
１  温水装置
３  マイコン
５  除菌灯
１０  インバータ回路
１１  インバータ制御部
１５  リセット回路
１６，２０  インバータ停止検出部
Ｃ２４  コンデンサ
ＡＣ  外部交流電源
【図１】
2018133159.tif 000003
【図２】
2018133159.tif 000004
【図３】
2018133159.tif 000005
【図４】
2018133159.tif 000006
【図５】
2018133159.tif 000007
【図６】
2018133159.tif 000008
【図７】
2018133159.tif 000009